(57)【要約】      （修正有）【課題】交換作業に際して本支線と仮支線の接触を防ぎ、かつ複数方向の交換作業を同時に行うことができる支線式鉄塔における仮支線の展張方法および仮支線引留用治工具を提供する。【解決手段】三角形の各頂点に配置された本支柱から上下方向に複数段に亘って外方に展張された本支線により支持された支線式鉄塔における前記本支線および/または支線碍子を交換するための仮支線の展張方法において、三角形を構成するように配置されたアーム１２の各頂点に、前記本支柱２を把持する把持具を取付けた仮支線引留用治工具１０を、前記把持具を介して交換対象の本支線取付部近傍の支柱２に取付け、前記各本支線の張力を保持する仮支線１５を交換対象の前記本支線および/または支線碍子が取り付けられた前記本支線の両側の支柱２に取付けた前記把持具から、交換対象の本支線と平面視で同方向に展張して、本支線の張力を保持する方法。【選択図】図１
2007262860.tif 000002
【特許請求の範囲】
【請求項１】
三角形の各頂点に本支柱が配置されるように構成され、かつ前記各本支柱から上下方向に複数段に亘って外方に展張された本支線により支持された支線式鉄塔における前記本支線および/または支線碍子を交換するために仮支線を展張する支線式鉄塔における仮支線の展張方法において、三角形を構成するように配置されたアームの各頂点に、前記本支柱を把持する把持具を取付けた仮支線引留用治工具を、前記把持具を介して前記支線式鉄塔の交換対象の本支線取付部近傍の支柱に取付け、前記各本支線の張力を保持する仮支線を交換対象の本支線および/または支線碍子が取り付けられた本支線の両側の支柱に取付けた前記把持具から、交換対象の本支線および/または支線碍子が取り付けられた本支線と平面視で同方向に展張して、交換対象の本支線および/または交換対象の支線碍子が取り付けられた本支線の張力を保持することを特徴とする支線式鉄塔における仮支線の展張方法。
【請求項２】
前記仮支線引留用治工具を、三角形を構成するように配置されたアームの各頂点に、前記本支柱を把持する把持具を取付けた上下複数段の治工具で構成し、これら上下複数段の治工具から上下複数段の仮支線を展張することを特徴とする請求項１に記載の支線式鉄塔における仮支線の展張方法。
【請求項３】
前記仮支線を各把持具から鉄塔の外側を通して交換対象の本支線および/または支線碍子が取り付けられた本支線と平面視で略平行に展張することを特徴とする請求項１または２に記載の支線式鉄塔における仮支線の展張方法。
【請求項４】
三角形の各頂点に本支柱が配置されるように構成され、かつ前記各本支柱から上下方向に複数段に亘って外方に展張された本支線により支持された支線式鉄塔における前記本支線および/または支線碍子を交換するために仮支線を展張するための仮支線引留用治工具において、三角形を構成するように配置されたアームの各頂点に、前記本支柱を把持する把持具を装着し、これら把持具に、仮支線を展張する仮支線取付プレートを装着したことを特徴とする支線式鉄塔における仮支線引留用治工具。
【請求項５】
前記本支柱を把持する把持具を二分割に構成するとともに、これら把持具の半割り部分をそれぞれ互いに隣り合うアームの先端部に装着し、これら半割り部分を互いに締結して前記本支柱に把持具を装着し、これら把持具に、隣り合う支柱に取付けられた本支線と同方向に向けて仮支線を展張する仮支線取付プレートを装着したことを特徴とする請求項５に記載の支線式鉄塔における仮支線引留用治工具。
【請求項６】
前記三角形を構成するように配置されたアームの各頂点に、前記本支柱を把持する把持具を装着し、これら把持具に仮支線を展張する仮支線取付プレートを装着した上下複数段の治工具で構成したことを特徴とする請求項５に記載の支線式鉄塔における仮支線引留用治工具。
【発明の詳細な説明】
【技術分野】
【０００１】
本発明は、支線式鉄塔における仮支線の展張方法および仮支線引留用治工具に関する。
【背景技術】
【０００２】
超長波送信用支線式鉄塔は、図８に示すように、鉄塔（本柱）１００の周囲に、鉄塔１００の頂部から順次一定間隔を置いて下方向にずらせた位置に、それぞれ３方向に展張する本支線（ロープ）１０１の一端部を取付け、これら本支線１０１の他端部を地面に引き留めるように構成されている。これらの本支線１０１の途中には、本支線１０１を流れる電流を絶縁する碍子装置１０２が介在されている。そして、３方向に展張する本支線（ロープ）１０１は、頂部から一定間隔で約４〜７段に亘って設けられている。
【０００３】
このような超長波送信用支線式鉄塔などでは、経年変化に伴って本支線交換および本支線を流れる電流を絶縁する碍子装置１０２の交換が必要である。そして、本支線１０１の交換および碍子装置１０２の交換に際して、図９に示すように、一時的に本支線１０１の取り外しを行い、あるいは交換する際に同一方向に当該本支線１０１の張力と同等の張力を確保するため、複数本の仮支線１０３が展張される。
【０００４】
この仮支線１０３を展張するために、図１０および図１１に示すような仮支線引留用治工具１０４が用いられている。この仮支線引留用治工具１０４は、通常、交換対象の本支線１０１の上部側の支柱１００ａに取付けられて用いられている。
この仮支線引留用治工具１０４は、略コ字状の仮支線アーム１０５の両端部と中間部に、固定具１０６が装着されており、この固定具１０６を鉄塔１００の各支柱１００ａに固定して仮支線引留用治工具１０４を取付けている。そして、仮支線引留用治工具１０４の中間部のアーム１０５ａの両端部の仮支線取付具１０７に仮支線１０３を１方向のみに展張して本支線１０１の張力を保ち、本支線１０１の交換、あるいは碍子装置１０２の交換を行っている。
【特許文献１】特開平８−２２２９２３号公報
【特許文献２】特開２００３−９３２５号公報
【発明の開示】
【発明が解決しようとする課題】
【０００５】
しかしながら、前記先行技術によれば、仮支線引留用治工具１０４取付け位置の上部側には、空中線として利用する本支線１０１が展張されているため、数箇所の支線工事を同時に行う際に、本支線１０１と仮支線１０３が接触してしまい送信障害を引き起こす虞がある。また、仮支線引留用治工具１０４は、一方向の仮支線１０３のみに適用する構造であるため、他の方向の本支線１０１を同時に交換することはできなかった。そして、鉄塔１００を垂直に支持するために本支線１０１が１鉄塔あたり１２本から２１本使用されている。これら本支線１０１は自然環境及び経年劣化等により、本支線１０１を構成する素線の断線等が予想されることから、本支線１０１の交換が必要となる。
【０００６】
本発明は、上記課題を解決し、交換作業に際して本支線と仮支線の接触を防ぎ、かつ複数方向の交換作業を同時に行うことができる支線式鉄塔における仮支線の展張方法および仮支線引留用治工具を提供することを目的とする。
【課題を解決するための手段】
【０００７】
本発明は、上記課題を解決するため、三角形の各頂点に本支柱が配置されるように構成され、かつ前記各本支柱から上下方向に複数段に亘って外方に展張された本支線により支持された支線式鉄塔における前記本支線および/または支線碍子を交換するために仮支線を展張する支線式鉄塔における仮支線の展張方法において、三角形を構成するように配置されたアームの各頂点に、前記本支柱を把持する把持具を取付けた仮支線引留用治工具を、前記把持具を介して前記支線式鉄塔の交換対象の本支線取付部近傍の支柱に取付け、前記各本支線の張力を保持する仮支線を交換対象の本支線および/または支線碍子が取り付けられた本支線の両側の支柱に取付けた前記把持具から、交換対象の本支線および/または支線碍子が取り付けられた本支線と平面視で同方向に展張して、交換対象の本支線および/または交換対象の支線碍子が取り付けられた本支線の張力を保持した状態で、交換作業を行うことにある。
また、本発明は、前記仮支線引留用治工具を、三角形を構成するように配置されたアームの各頂点に、前記本支柱を把持する把持具を取付けた上下複数段の治工具で構成し、これら上下複数段の治工具から上下複数段の仮支線を展張することにある。
さらに、本発明は、前記仮支線を各把持具から鉄塔の外側を通して交換対象の本支線および/または支線碍子が取り付けられた本支線と平面視で略平行に展張することにある。
またさらに、本発明は、三角形の各頂点に本支柱が配置されるように構成され、かつ前記各本支柱から上下方向に複数段に亘って外方に展張された本支線により支持された支線式鉄塔における前記本支線および/または支線碍子を交換するために仮支線を展張するための仮支線引留用治工具において、三角形を構成するように配置されたアームの各頂点に、前記本支柱を把持する把持具を装着し、これら把持具に、仮支線を展張する仮支線取付プレートを装着したことにある。
また、本発明は、前記本支柱を把持する把持具を二分割に構成するとともに、これら把持具の半割り部分をそれぞれ互いに隣り合うアームの先端部に装着し、これら半割り部分を互いに締結して前記本支柱に把持具を装着し、これら把持具に、隣り合う支柱に取付けられた本支線と同方向に向けて仮支線を展張する仮支線取付プレートを装着したことにある。
さらに、本発明は、前記三角形を構成するように配置されたアームの各頂点に、前記本支柱を把持する把持具を装着し、これら把持具に仮支線を展張する仮支線取付プレートを装着した上下複数段の治工具で構成したことにある。
【発明の効果】
【０００８】
請求項１によれば、本支線から離れた位置から仮支線を展張することができるので、交換作業に際して本支線と仮支線の接触を防ぎ、送信障害を防止することができる。
請求項２によれば、支線径に応じて、支線径が太い場合は、上段、下段合わせて複数条の仮支線を使用し、支線径が細い場合は、下段のみの２条の仮支線の使用で施工することができる。
請求項３によれば、本支線から最も離れた位置に仮支線を展張することができるので、交換作業に際して本支線と仮支線の接触を防ぎ、送信障害を防止することができる。
請求項４によれば、本支線から離れた位置で、かつ本支線の下方側に仮支線を展張することができるので、交換作業に際して本支線と仮支線の接触を防ぎ、送信障害を防止することができる。また、仮支線引留用治工具を三角形に構成したので、三方向の本支線および支線碍子を同時に交換することができる。
請求項５によれば、仮支線引留用治工具は、各アームごとに分離できるので、組付けおよび搬送作業を容易に行うことができる。
請求項６によれば、仮支線引留用治工具は、上下複数段のアームで構成されていることから、本支線の太さに応じて仮支線の本数を２条、或いはそれ以上の複数条に設定することができる。
【発明を実施するための最良の形態】
【０００９】
以下図示の実施の形態を図面を参照しながら詳細に説明する。
【００１０】
図１は、超長波送信用支線式鉄塔に仮支線引留用治工具を装着した概念図で、図２は図１のＡ−Ａ線断面図である。
図１および図２において、支線式鉄塔１は、３方向支線式鋼管トラス柱で、三角形の頂点に配置して立設した３本の各本支柱２を多数の連結材３で連結したものである。各本支柱２には、上下方向に沿って、一定間隔で、複数段の本支線４が平面視で、支線式鉄塔１を中心として３方向に放射状に、かつ、斜め下方向に向けて展張されている。本支線４の途中には、それぞれ大地と絶縁するための碍子装置（図示せず）が装着されている。
【００１１】
仮支線引留用治工具１０は、環状の把持具１１を構成する半割り状のバンド１１ａをそれぞれ両端に装着した３本のアーム１２を、半割り状のバンド１１ａ相互を両端のフランジ部をボルトを介して締結して、三角形を構成するように組み立てたものである。図３および図５は上部側の環状の把持具１１を示したもので、図４および図６は、下部側の環状の把持具１１を示したものである。
この把持具１１の半割り状のバンド１１ａには、水平のプレート１３が装着されており、このプレート１３の裏面には、間に配置された本支柱２に取付けられた本支線４と同方向に向けて垂設された一対の仮支線取付プレート１４がそれぞれ装着されている。仮支線取付プレート１４には、仮支線１５を保持する取付穴１６が設けられている。
【００１２】
上記半割り状のバンド１１ａをそれぞれ両端に装着した３本のアーム１２は、垂直方向の連結部材１７と、斜め方向の連結部材１８によって、上下のアーム１２相互間を互いに連結されて上下二段に構成されており、上下二段のアーム１２の仮支線取付プレート１４からそれぞれ仮支線１５が展張できるように構成されている。
【００１３】
次に、上記仮支線引留用治工具１０を用いて仮支線を展張する方法を説明すると、３本の各本支柱２を把持するようにして半割り状のバンド１１ａを取り付け、この半割り状のバンド１１ａの両側のフランジ部１１ｂをボルトおよびナットを介して互いに締結する。こうしてアーム１２の両側の半割り状のバンド１１ａを隣のアーム１２の半割り状のバンド１１ａと互いに手決することで、アーム１２が三角形を構成するように配置される。上下二段のアーム１２をそれぞれ半割り状のバンド１１ａを介して各本支柱２に装着する。
【００１４】
そして、図７（ａ）（ｂ）に示すように、仮支線取付プレート１４の取付穴１６に仮支線１５の一端を装着し、交換用本支線４が取付けられた本支柱２の両側の本支柱２に取付けられた把持具１１の仮支線取付プレート１４から交換用本支線４に沿って平面視で交換用本支線４と同方向に略平行に、かつ側面視で、交換用本支線４の下部側を略平行に斜め下方向に引き下ろす。仮支線１５は、それぞれ１本の交換用本支線４に対して上下のアーム１２の仮支線取付プレート１４から４本または２本をそれぞれ三方の交換用本支線４ごとに引き降ろす。
【００１５】
このように、三方の交換用本支線４あるいは交換用本支線４に接続された碍子装置を同時に交換することができるので、作業性が良好である。仮支線１５は、平面視で交換用本支線４からの距離を最大限に大きくとることができるので、本支線４との距離を充分にとることができることから、本支線４との干渉を防ぐことができる。
【００１６】
また、交換用本支線４の両側の後方から仮支線１５を展張するので、交換用本支線４と上下方向の距離を大きく取ることができるので、空中線として利用されている交換用本支線４Ａと接触する虞がない（図７（ｂ）参照）。
【００１７】
こうして、上記仮支線引留用治工具１０を上下方向に順次移動させながら、三方の交換用本支線４の交換および碍子装置の交換を行うことができる。
【００１８】
なお、本発明は、上記実施の形態のみに限定されるものではなく、例えば、仮支線引留用治工具１０は、上下二段に構成したが二段以上の複数段に構成することもできるなど、その他本発明の要旨を変更しない範囲内で適宜変更して実施し得ることは言うまでもない。
【図面の簡単な説明】
【００１９】
【図１】本発明の実施の形態による支線式鉄塔における仮支線引留用治工具を示す概念図である。
【図２】図１の仮支線引留用治工具を示すＡ−Ａ線矢視図である。
【図３】図２のＢ部拡大図である。
【図４】図２のＢ部下段側の拡大図である。
【図５】図３のＣ−Ｃ線矢視図である。
【図６】図４のＤ−Ｄ線矢視図である。
【図７】仮支線の展張方法を示し、（ａ）は平面図、（ｂ）は（ａ）の側面図である。
【図８】支線式鉄塔を示す概念図である。
【図９】支線式鉄塔における本支線の交換作業を示す概念図である。
【図１０】従来の支線式鉄塔における仮支線引留用治工具を示す概念図である。
【図１１】図１０の仮支線引留用治工具を示す平面図である。
【図１２】従来の仮支線の展張方法を示し、（ａ）は平面図、（ｂ）は（ａ）の側面図である。
【符号の説明】
【００２０】
１  支線式鉄塔
２  本支柱
３  連結材
４  本支線
１０  仮支線引留用治工具
１１  把持具
１１ａ  半割り状のバンド
１２  アーム
１３  プレート
１４  仮支線取付プレート
１５  仮支線
１６  取付穴
１７，１８  連結部材
【図１】
2007262860.tif 000003
【図２】
2007262860.tif 000004
【図３】
2007262860.tif 000005
【図４】
2007262860.tif 000006
【図５】
2007262860.tif 000007
【図６】
2007262860.tif 000008
【図７】
2007262860.tif 000009
【図８】
2007262860.tif 000010
【図９】
2007262860.tif 000011
【図１０】
2007262860.tif 000012
【図１１】
2007262860.tif 000013
【図１２】
2007262860.tif 000014